【手続補正書】
【提出日】平成23年12月8日(2011.12.8)
【手続補正１】
【補正対象書類名】特許請求の範囲
【補正対象項目名】全文
【補正方法】変更
【補正の内容】
【特許請求の範囲】
【請求項１】
ネットワーク中継装置であって、
回線に接続され、パケットの送受信を行うインターフェース部と、
前記インターフェース部によって受信されたパケットに含まれる宛先情報に基づいて、前記インターフェース部が送信すべきパケットの転送先を決定する中継処理部と、
前記インターフェース部および前記中継処理部の動作を制御する制御部と、を備え、
前記インターフェース部を所定の消費電力で動作させつつ、前記中継処理部を高消費電力または低消費電力で選択的に動作させる、ネットワーク中継装置。
【請求項２】
請求項１に記載のネットワーク中継装置において、
前記中継処理部は、
周波数の異なる複数種類の第１のクロック信号を選択的に生成する１または複数の第１のクロック生成部と、
前記生成された第１のクロック信号に同期して動作する１または複数の構成回路と、
を備え、
前記中継処理部は、前記１または複数の第１のクロック生成部を制御し、生成される前記第１のクロック信号の周波数を変更することにより、前記高消費電力または前記低消費電力で動作する、ネットワーク中継装置。
【請求項３】
請求項２に記載のネットワーク中継装置において、
前記中継処理部は、
周波数の異なる複数種類の第２のクロック信号を選択的に生成する１または複数の第２のクロック生成部と、
複数の前記構成回路と、
各構成回路間においてデータを伝送するための第１のバスであって、前記生成された第２のクロック信号に同期して動作する、前記第１のバスと、
を備え、
前記中継処理部は、さらに、前記第２のクロック生成部を制御し、生成される前記第２のクロック信号の周波数を変更することにより、前記高消費電力または前記低消費電力で動作する、ネットワーク中継装置。
【請求項４】
請求項３に記載のネットワーク中継装置において、
複数の前記構成回路は、前記インターフェース部に対して、前記パケットを含むデータの送受信を実行するパケット処理回路と、前記パケット処理回路により受信されたパケットについて前記転送先を決定する転送先決定回路と、を含み、
前記第１のバスは、前記パケット処理回路と前記転送先決定回路との間においてデータを伝送するためのバスであり、
前記中継処理部は、前記パケット処理回路のために生成される前記第１のクロック信号と、前記転送先決定回路のために生成される前記第１のクロック信号と、前記パケット処理回路と前記転送先決定回路との間においてデータを伝送するためのバスのために生成される前記第２のクロック信号と、の各周波数をセットで変更する、ネットワーク中継装置。
【請求項５】
請求項１に記載のネットワーク中継装置は、さらに、
周波数の異なる複数種類の第３のクロック信号を選択的に生成する１または複数の第３のクロック生成部と、
前記インターフェース部と前記中継処理部との間においてデータを伝送するための第２のバスであって、前記生成された第３のクロック信号に同期して動作する、前記第２のバスと、
を備え、
前記制御部は、前記第３のクロック生成部を制御し、生成される前記第３のクロック信号の周波数を変更することにより、前記第２のバスの動作モードを変更する、ネットワーク中継装置。
【請求項６】
請求項１に記載のネットワーク中継装置において、
前記中継処理部は、前記ネットワーク中継装置の処理負荷に応じて、高消費電力または低消費電力で選択的に動作する、ネットワーク中継装置。
【請求項７】
請求項６に記載のネットワーク中継装置は、さらに、
前記ネットワーク中継装置により受信または送信される前記パケットの量を検出するパケット量検出部を備え、
前記中継処理部の消費電力の切り換えは、前記検出されたパケットの量に応じて実行される、ネットワーク中継装置。
【請求項８】
請求項６に記載のネットワーク中継装置は、さらに、
前記処理負荷の高い時間帯と、前記処理負荷の低い時間帯に関する時間情報を記憶した記憶部を備え、
前記中継処理部の消費電力の切り換えは、前記時間情報を参照して実行される、ネットワーク中継装置。
【請求項９】
請求項６に記載のネットワーク中継装置は、さらに、
接続された前記回線の通信速度を検出する通信速度検出部を備え、
前記中継処理部の消費電力の切り替えは、前記通信速度に応じて実行される、ネットワーク中継装置。
【請求項１０】
請求項１に記載のネットワーク中継装置において、
前記インターフェース部は、複数備えられ、
複数の前記インターフェース部のうち、動作させないインターフェース部を予め登録しておき、前記登録されたインターフェース部に供給される電力を低下または停止する、ネットワーク中継装置。
【請求項１１】
請求項１に記載のネットワーク中継装置において、
前記インターフェース部は、前記回線と接続するための複数の物理インターフェース部を有し、
動作させない前記回線を予め登録しておき、前記複数の物理インターフェース部のうち、前記登録された回線に対応する物理インターフェース部に供給される電力を低下または停止する、ネットワーク中継装置。
【請求項１２】
請求項１に記載のネットワーク中継装置において、
前記中継処理部は、複数備えられ、
前記複数の中継処理部のうちの少なくとも１つは、他の中継処理部に異常が発生した場合に用いられる冗長中継処理部であり、
前記冗長中継処理部が用いられない期間において、前記冗長中継処理部に対するクロック信号の供給の少なくとも一部が停止される、ネットワーク中継装置。
【請求項１３】
請求項１に記載のネットワーク中継装置において、
前記中継処理部は、同一の機能を有する複数の構成回路を有し、
前記ネットワーク中継装置の処理負荷に応じて、前記同一の機能を有する複数の構成回路のうち、少なくとも一部の回路に対するクロック信号の供給が停止される、ネットワーク中継装置。
【請求項１４】
請求項１に記載のネットワーク中継装置において、
前記中継処理部は、複数備えられ、
前記複数の中継処理部は、並行して前記パケットに対する処理を実行可能であり、
前記ネットワーク中継装置の処理負荷に応じて、前記複数の中継処理部のうちの一部に対するクロック信号の供給の少なくとも一部が停止される、ネットワーク中継装置。
【請求項１５】
複数の回線と接続されるネットワーク中継装置であって、
前記複数の回線とそれぞれ接続され、宛先情報が関連付けられているパケットを受信すると共に、パケットを転送先に対して送信する１または複数のインターフェース部と、
前記インターフェース部から送信されてくるパケットを受信すると共に、前記受信されたパケットの転送先を決定して転送し、供給されるクロック信号に同期して動作するパケット中継手段と、
前記パケット中継手段の動作モードを、前記インターフェース部の動作モードに依存せずに停止ではない異なる動作モードに切り換え可能なクロック信号供給手段と、
を備える、ネットワーク中継装置。
【請求項１６】
ネットワーク中継装置であって、
１または複数の回線とそれぞれ接続され、宛先情報が関連付けられているパケットを受信すると共に、パケットを転送先に対して送信する１または複数のインターフェース部と、
前記パケットに関連付けられた宛先情報に基づいて、前記受信されたパケットの前記転送先を決定する、１または複数の中継処理部であって、複数の消費電力レベルの異なる動作モードに動作を切換可能である、前記１または複数の中継処理部と、
前記中継処理部の動作モードを、前記インターフェース部の動作モードに依存せず変更することが可能である動作モード変更部と、
を備えるネットワーク中継装置。
【請求項１７】
ネットワーク中継装置であって、
回線に接続され、パケットの送受信を行うインターフェース部と、
前記インターフェース部によって受信されたパケットに含まれる宛先情報に基づいて、前記インターフェース部が送信すべきパケットの転送先を決定する中継処理部と、
前記インターフェース部および前記中継処理部の動作を制御する制御部と、を備え、
前記インターフェース部を所定のクロック周波数で動作させつつ、前記中継処理部を高クロック周波数または低クロック周波数で選択的に動作させる、ネットワーク中継装置。
【請求項１８】
ネットワーク中継装置であって、
回線に接続され、パケットの送受信を行うインターフェース部と、
前記インターフェース部によって受信されたパケットに含まれる宛先情報に基づいて、前記インターフェース部が送信すべきパケットの転送先を決定する中継処理部と、を備え、
前記中継処理部は、消費電力レベルの異なる複数の動作モードを有し、
前記中継処理部の動作モードは、前記インターフェース部の動作モードにかかわらず変更される、ネットワーク中継装置。
【請求項１９】
ネットワーク中継装置であって、
回線に接続され、パケットの送受信を行うインターフェース部と、
前記インターフェース部によって受信されたパケットに含まれる宛先情報に基づいて、前記インターフェース部が送信すべきパケットの転送先を決定する中継処理部と、を備え、
前記中継処理部が高消費電力で動作し、前記インターフェース部が所定の消費電力で動作する第１の動作モードと、前記中継処理部が低消費電力で動作し、前記インターフェース部が前記所定の消費電力のままで動作する第２の動作モードと、を有する、ネットワーク中継装置。